(57)【要約】  ピックアップ側のウェハシートに残った電子部品を再利用可能なように再配置することが可能な電子部品移送装置を提供することである。本発明の電子部品移送装置１は、ランクの異なる複数の電子部品１００がウェハ状に配置されているウェハシート２００を保持する電子部品保持テーブル１１と、この電子部品保持テーブル１１におけるウェハシート２００上の電子部品１００の位置情報とこの電子部品１００のランク情報からなる電子部品情報を格納する電子部品情報格納部４１と、ウェハシート２００から電子部品１００を１または複数個ずつ取り出し、配置部３００へ移送する移載ヘッド３０と、配置部３００における電子部品１００の配列情報を格納する配列情報格納部４２と、ウェハシート２００上に残った残電子部品を再配置する再配置部４００と、電子部品情報と配列情報に基づいて電子部品１００を配置部３００における所定の位置へ移送し、ウェハシート２００上に残った残電子部品を再配置部４００に移送するように移載ヘッド３０を制御する制御部とを備える。
2013108366.tif 000002
【特許請求の範囲】
【請求項１】
ランクの異なる複数の電子部品がウェハ状に配置されているウェハシートを保持する電子部品保持テーブルと、
前記電子部品保持テーブルにおける前記ウェハシート上の前記電子部品の位置情報と前記電子部品のランク情報からなる電子部品情報を格納する電子部品情報格納部と、
前記ウェハシートから前記電子部品を１または複数個ずつ取り出し、配置部へ移送する電子部品移送部と、
前記配置部における前記電子部品の配列情報を格納する配列情報格納部と、
前記ウェハシート上に残った残電子部品を再配置する再配置部と、
前記電子部品情報と前記配列情報に基づいて前記電子部品を前記配置部における所定の位置へ移送し、前記残電子部品を前記再配置部に移送するように前記電子部品移送部を制御する制御部とを
備えることを特徴とする電子部品移送装置。
【請求項２】
前記配列情報は、前記配置部内で配置される各電子部品の配置位置、及び前記配置位置における前記各電子部品のランク情報を少なくとも含むことを特徴とする請求項１に記載の電子部品移送装置。
【請求項３】
前記配列情報は、完成品における所望の光度に基いて設定されることを特徴とする請求項２に記載の電子部品移送装置。
【請求項４】
前記配列情報格納部は、複数の配列パターン情報を備えていることを特徴とする請求項１〜３のいずれか１項に記載の電子部品移送装置。
【請求項５】
前記再配置部を前記ウェハシートと同一のウェハシート上に設けることを特徴とする請求項１〜４のいずれか１項に記載の電子部品移送装置。
【請求項６】
前記再配置部を前記配置部を備える台と同一平面上に設けたシートに設けることを特徴とする請求項１〜４のいずれか１項に記載の電子部品移送装置。
【請求項７】
前記再配置部を前記配置部の一部に設けることを特徴とする請求項１〜４のいずれか１項に記載の電子部品移送装置。
【請求項８】
前記制御部は、前記配置部に対する移送が完了したことを知らせる信号または強制再配置信号を受信したときに、前記残電子部品を前記再配置部に再配置するように前記電子部品移送部を制御することを特徴とする請求項１〜７のいずれか１項に記載の電子部品移送装置。
【請求項９】
前記制御部は、前記残電子部品を前記ランク情報に基いて再配置するように前記電子部品移送部を制御することを特徴とする請求項１〜８のいずれか１項に記載の電子部品移送装置。
【請求項１０】
前記配置部は基板であることを特徴とする請求項１〜６及び８、９のいずれか１項に記載の電子部品移送装置。
【請求項１１】
前記残電子部品は、不良と判断された電子部品及び／又は、前記配置部又は前記基板への必要実装数が満たされ余った良品の電子部品であることを特徴とする請求項１〜１０のいずれか１項に記載の電子部品移送装置。
【請求項１２】
ランクの異なる複数の電子部品がウェハ状に配置されているウェハシートを電子部品保持テーブルに保持するウェハシート保持工程と、
前記電子部品保持テーブルにおける前記ウェハシート上の前記電子部品の位置情報と前記電子部品のランク情報からなる電子部品情報を電子部品情報格納部に格納する電子部品情報格納工程と、
配置部における前記電子部品の配列情報を配列情報格納部に格納する配列情報格納工程と、
前記ウェハシートから前記電子部品を１または複数個ずつ取り出し、前記配置部へ移送する移送工程と、
前記電子部品情報と前記配列情報に基づいて前記電子部品を前記配置部における所定の位置へ移送し、前記ウェハシート上に残った残電子部品を再配置部に移送するように前記電子部品移送部を制御する制御工程とを
備えることを特徴とする電子部品移送方法。
【発明の詳細な説明】
【技術分野】
【０００１】
本発明は、チップなどの電子部品をピックアップし、移送する電子部品移送装置および電子部品移送方法に関する。
【背景技術】
【０００２】
近年、電子部品移送装置として、ダイシングにより分割され、ウェハ状に配置された電子部品をピックアップし、ランク毎に移送先に配列する装置が知られている。この種の電子部品移送装置では、真空ポンプに接続された吸着ノズルにより、電子部品を上側から吸着するとともに、下側から突き上げる動作により、電子部品を１つずつピックアップし、移送する。このとき電子部品移送装置は、同一ランクのもののみを、ある一定のスペースに配列し、後工程における基板への実装において利用しやすいようにしていた。【０００３】
ウェハ状に配置された電子部品は、非常に多くの電子部品で構成されるため、電子部品の移送を行う電子部品移送装置には、多くの電子部品を短時間で移送することが求められる。このため、移送工程のタクトタイムの短縮のために、同時に複数の電子部品を移送可能な特許文献１のような発明がなされている。【０００４】
特許文献１には、列状に配置された複数の吸着ノズルで、列毎に一括して半導体製品（電子部品）を吸着し、移送先へ移送する構成が開示されている。この構成では、半導体製品を吸着するにあたり、適切なランクの半導体製品を下側から突上げピンで突き上げることで、ピックアップの補助とピックアップする半導体製品のランク分けとを行っている。【０００５】
また特許文献２には、ウェハ状のチップ（電子部品）をダイボンディングする際に、チップの特性データと位置データから同一ランクに属するチップのみをダイボンディングする構成について記載されている。
【先行技術文献】
【特許文献】
【０００６】
【特許文献１】特許登録第３７１２６９５号
【特許文献２】特開平４−２６２５４３号
【発明の概要】
【発明が解決しようとする課題】
【０００７】
近年、電子部品に対する検査の精密度が向上しており、ランクの設定も詳細になっている。また、最高ランクから使用が許容できるランクまでに複数のランクがあり、製品によっては必ずしも最高のランクのみを要求しない製品もある。また１つの製品、基板に対して複数個の電子部品が必要となるため、前工程において製造された電子部品をできるだけ無駄なく使用することによって、限りある資源の効率的活用と、コストを下げることが要求されている。【０００８】
従来の技術では、電子部品の製造上避けられない不良の電子部品が、良品のランクの電子部品とともに、ピックアップ側のウェハシートに残り、これを再使用することが難しかった。【０００９】
本発明は、上記課題に鑑みなされたものであり、その目的の一例は、ピックアップ側のウェハシートに残った電子部品を再利用可能なように再配置することが可能な電子部品移送装置および電子部品移送方法を提供することである。
【課題を解決するための手段】
【００１０】
上記課題を解決するために、本発明の電子部品移送装置は、ランクの異なる複数の電子部品がウェハ状に配置されているウェハシートを保持する電子部品保持テーブルと、前記電子部品保持テーブルにおける前記ウェハシート上の前記電子部品の位置情報と前記電子部品のランク情報からなる電子部品情報を格納する電子部品情報格納部と、前記ウェハシートから前記電子部品を１または複数個ずつ取り出し、配置部へ移送する電子部品移送部と、前記配置部における前記電子部品の配列情報を格納する配列情報格納部と、前記ウェハシート上に残った残電子部品を再配置する再配置部と、前記電子部品情報と前記配列情報に基づいて前記電子部品を前記配置部における所定の位置へ移送し、前記残電子部品を前記再配置部に移送するように前記電子部品移送部を制御する制御部とを備える。【００１１】
さらに上記課題を解決するために、本発明の電子部品移送方法は、ランクの異なる複数の電子部品がウェハ状に配置されているウェハシートを電子部品保持テーブルに保持するウェハシート保持工程と、前記電子部品保持テーブルにおける前記ウェハシート上の前記電子部品の位置情報と前記電子部品のランク情報からなる電子部品情報を電子部品情報格納部に格納する電子部品情報格納工程と、配置部における前記電子部品の配列情報を配列情報格納部に格納する配列情報格納工程と、前記ウェハシートから前記電子部品を１または複数個ずつ取り出し、前記配置部へ移送する移送工程と、前記電子部品情報と前記配列情報に基づいて前記電子部品を前記配置部における所定の位置へ移送し、前記ウェハシート上に残った残電子部品を再配置部に移送するように前記電子部品移送部を制御する制御工程とを備える。
【図面の簡単な説明】
【００１２】
【図１】本実施形態の電子部品移送装置の構成を示すブロック図である。
【図２】電子部品移送装置の各部の位置関係と動作方向を示す図である。
【図３】電子部品移送装置による電子部品のピックアップの態様を示す図である。
【図４】本実施形態の電子部品移送装置および電子部品移送方法の動作の流れを示すフローチャートである。
【図５】本実施形態のピックアップ動作の流れを示すフローチャートである。
【図６】本実施形態の実装動作の流れを示すフローチャートである。
【図７】本実施形態の再配置動作の流れを示すフローチャートである。
【図８】ウェハシート上の発光ダイオード素子と、基板に実装された発光ダイオードモジュールを示したものの一例である。
【図９】実装するべき発光ダイオード素子を実装した後にウェハシート上に残った残発光ダイオード素子と、再配置部に配置された残発光ダイオード素子を示したものの一例である。
【発明を実施するための形態】
【００１３】
以下、本発明の実施形態を、図面を用いて詳細に説明する。図１は、本実施形態の電子部品移送装置および電子部品移送方法の構成を示すブロック図である。
【００１４】
本発明の電子部品移送装置の実施形態である電子部品移送装置１の構成を図１を参照しながら説明する。この図１のピックアップ部１０及び実装部２０内において、左右方向をＸ方向、手前側から奥側に向かう方向をＹ方向、上下方向をＺ方向、ＸＹ平面における角度をθとして、以降の説明を行う。
【００１５】
図１に示されるように、電子部品実装装置１は、ピックアップ部１０、実装部２０、電子部品移送部である移載ヘッド３０、制御部４０、電子部品情報格納部４１及び配列情報格納部４２を備えて構成されている。ピックアップ部１０と実装部２０とは、Ｘ方向に相互に離隔して配置される。本発明において、電子部品移送部は、吸着ノズルを備えた移載ヘッドおよびこれを作動させるヘッドアクチュエータから構成される。
【００１６】
ピックアップ部１０は、電子部品移送装置１において、電子部品１００が配置されるウェハシート２００から電子部品１００のピックアップを行うユニットである。ピックアップ部１０は、電子部品保持テーブル１１、電子部品保持テーブルアクチュエータ１２、ピックアップハンマ１３、上円板カム１４、ピックアップモータ１５、突き上げ針１６、下円板カム１７、突き上げモータ１８及びカメラ１９を備えて構成される。
【００１７】
ピックアップ部１０においては、ウェハシート２００に配置される電子部品１００を移載ヘッド３０によりピックアップするためのピックアップ位置Ｐｕが一ヶ所設定される。ピックアップ位置Ｐｕは、ピックアップ部１０におけるＸ方向及びＹ方向の所定の位置を示す。
【００１８】
電子部品保持テーブル１１は、電子部品１００が配置されるウェハシート２００を保持可能な平坦な面を有する部材である。電子部品保持テーブル１１は、ウェハシート２００の周縁部を保持し、伸縮性のある粘着シートを伸長することで、ウェハシート２００上に配置される電子部品１００を互いに所定の距離離隔させる。
【００１９】
電子部品保持テーブルアクチュエータ１２は、電子部品保持テーブル１１を電子部品１００が配置される面内（言い換えれば、ＸＹ平面内）で移動させるとともに、この面内で電子部品保持テーブル１１をθ方向に回転させるアクチュエータから成る。電子部品保持テーブルアクチュエータ１２は、制御部４０から供給される制御信号に応じて、電子部品保持テーブル１１を移動させることで、ウェハシート２００上に配置される所望の電子部品１００をピックアップ位置Ｐｕに設定する。
【００２０】
ピックアップハンマ１３は、ピックアップ位置Ｐｕにおいて、ウェハシート２００の上方に配設されるベアリング状の端部を有する構成である。ピックアップハンマ１３のベアリング状の端部は、アームを介して上円板カム１４に接続される。
【００２１】
上円板カム１４は、ピックアップモータ１５の回転に応じて回転可能な円板状のカムである。ピックアップモータ１５は、制御部４０から供給される制御信号に応じて回転し、上円板カム１４を回転させる。ピックアップハンマ１３は、上円板カム１４の回転に応じてアームが移動することで、ベアリング状の端部がＺ方向に往復移動する。
【００２２】
突き上げ針１６は、ピックアップ位置Ｐｕにおいて、ウェハシート２００の下方に配設される針状の構成である。突き上げ針１６は、アームを介して下円板カム１７に接続され、下円板カム１７の回転に伴って、Ｚ方向に移動する。
【００２３】
突き上げ針１６が、下円板カム１７の回転によりＺ方向を上方に移動するに従って、突き上げ針１６の上端はウェハシート２００に接触する。突き上げ針１６は、移動範囲の上端において、ウェハシート２００を貫通し、電子部品１００に接触するとともに、電子部品１００を突き上げる。
【００２４】
突き上げ針１６は、針状の上端がピックアップ位置Ｐｕにおいて配置される電子部品１００を突き上げ可能な態様で配設される。突き上げモータ１８は、制御部４０から供給される制御信号に応じて、下円板カム１７を回転させる。
【００２５】
カメラ１９は、ウェハシート２００上のピックアップ位置Ｐｕに位置調整して配置される電子部品１００及びその周辺に配置される電子部品１００を撮像範囲に収められるよう構成され、配設される。カメラ１９において撮像された電子部品１００の画像は、制御部４０に送信される。
【００２６】
実装部２０は、ピックアップ部１０において、吸着ノズル３１により吸着された電子部品１００が本実施形態における配置部である実装基板３００に実装するユニットであって、実装基板保持台２１、実装基板保持台アクチュエータ２２、実装ハンマ２３、円板カム２４、実装モータ２５及びカメラ２６を備えて構成される。
【００２７】
実装部２０は、実装基板保持台２１上に実装基板３００とは別に再配置部４００を備える。再配置部４００は、例えば、実装基板保持台２１上に配置された複数の実装基板３００のうちの１つを再配置部として置き換えたり、実装基板３００が配置されている実装基板保持台２１の上の余ったスペースや、実装基板３００が取り出された後に同一の場所に配置されるものである。
【００２８】
なお、再配置部４００は、粘着性を有するシートから構成され、電子部品を配置できるものである。
【００２９】
実装部２０においては、吸着ノズル３１に吸着される電子部品１００を実装基板３００上に実装するための実装位置Ｐｌが一ヶ所設定される。
【００３０】
実装位置Ｐｌは、実装部２０におけるＸ方向及びＹ方向の所定の位置を示す。なお、実装位置Ｐｌは、ピックアップ位置ＰｕからＸ方向に所定の距離離隔した位置に設定される。
【００３１】
同様に、実装部２０において、移載ヘッド３０に保持される吸着ノズル３１に吸着される残電子部品を再配置部４００上に配置するための再配置位置Ｐｒが一ヶ所設定される。再配置位置Ｐｒは、実装位置Ｐｌと同様に実装部２０におけるＸ方向及びＹ方向の所定の位置を示す。
【００３２】
ここで、残電子部品とは、制御部４０によって指定された移動されるべき電子部品１００以外の電子部品であり、電子部品情報より不良の電子部品と判断された電子部品と、当該実装に係る必要電子部品以上にウェハシート２００上に電子部品があった場合に、余ってしまう電子部品１００である。この余った電子部品１００、つまり残電子部品にもそれぞれランクが付与されている。
【００３３】
実装基板保持台２１は、電子部品１００が実装される実装基板３００を保持可能な平坦な面を有する部材である。実装基板３００は、セラミック基板、ガラス基板、プリント基板などの基板である。
【００３４】
実装基板保持台アクチュエータ２２は、実装基板保持台２１を電子部品１００が実装される面方向（言い換えれば、Ｘ方向、Ｙ方向及びθ方向）で移動可能である可動軸を有するアクチュエータである。
【００３５】
実装基板保持台２１上に保持される実装基板３００には、移載ヘッド３０の吸着ノズル３１によって吸着される複数の電子部品１００がそれぞれ所定のマージン離隔して実装される。以降、実装基板３００上のそれぞれの電子部品１００が実装されるべき位置を、電子部品実装位置と称して説明する。なお、電子部品実装位置は、例えば、実装基板３００上に複数の列及び行から成るマトリックス状に設定される。
【００３６】
実装ハンマ２３は、ベアリング状の端部がアームに接続され、該アームを介して円板カム２４に接続される。円板カム２４は、実装モータ２５の駆動に応じて回転可能に構成される。
【００３７】
円板カム２４の回転に伴ってアームが移動することで、実装ハンマ２３のベアリング状の端部がＺ方向に往復移動する。実装モータ２５は、制御部４０から供給される制御信号に応じて、円板カム２４を回転させる。
【００３８】
カメラ２６は、実装基板３００上の実装位置Ｐｌに実装される電子部品１００と、再配置位置Ｐｒに配置される残電子部品及びその周辺を撮像範囲に収められるよう構成され、配設される。カメラ２６において撮像された画像は、制御部４０に送信される。
【００３９】
移載ヘッド３０は、円筒状の吸着ノズル３１を複数保持し、ヘッドアクチュエータ３２の動作の下、ピックアップ部１０と実装部２０との間を移動し、電子部品１００のピックアップ動作及び実装動作、再配置動作を行う。移載ヘッド３０は、ピックアップ部１０の電子部品保持テーブル１１及び実装部２０の実装基板台２１に対して、Ｚ方向上方に配設される。
【００４０】
吸着ノズル３１は、移載ヘッド３０内に設けられる吸気通路（図示せず）を介して、真空ポンプなどの減圧装置（図示せず）に接続されており、制御部４０から供給される制御信号に応じて、当接する電子部品１００の吸着及び吸着の解除を行う。
【００４１】
ヘッドアクチュエータ３２は、制御部４０から供給される制御信号に応じて、移載ヘッド３０をＸ方向に移動可能な一軸のアクチュエータである。ヘッドアクチュエータ３２は、移載ヘッド３０をピックアップ位置Ｐｕと実装位置Ｐｌとを結ぶ直線に沿って、図１の矢印で示されるようにピックアップ部１０及び実装部２０の間を移動させる。
【００４２】
移載ヘッド３０は、吸着ノズル３１の下端が電子部品１００の上端からＺ方向に所定距離離隔するよう保持し、更に吸着ノズル３１を保持位置において安定に固定するようＺ方向上方に付勢するバネ機構を有する。
【００４３】
実装基板保持台アクチュエータ２２、電子部品保持テーブルアクチュエータ１２、ヘッドアクチュエータ３２に制御信号を送り、それぞれを制御する制御部４０は、電子部品情報格納部４１及び配列情報格納部４２と接続されている。
【００４４】
電子部品情報格納部４１は、前工程またはプローブ検査機から、ウェハシート２００上の電子部品１００の位置情報およびランク情報を含む電子部品情報を取得し格納している。
【００４５】
この電子部品情報はＬＡＮによるサーバ経由などの方法やＣＤ、メモリーなどの電子記憶媒体などの方法により取得される。位置情報はウェハシート２００上のインデックスを含み、ランク情報は光量、波長、抵抗値、処理速度、耐高電圧、電流増幅率などの情報を含む。また、ランク情報は、光量、波長、抵抗値、処理速度、耐高電圧、電流増幅率などの情報から予め決められたランクに分けられていてもよい。
【００４６】
配列情報格納部４２は、実装基板保持台２１に配置される実装基板３００における電子部品１００の配列情報を格納している。配列情報は、実装基板内での各電子部品の実装位置、及び実装位置における各電子部品１００のランク情報を少なくとも含んでいる。
【００４７】
また、さらに実装基板上に実装されるべき電子部品１００の数情報や、完成品における所望の光度（ルクス）に基いて設定される電子部品（例えば、発光ダイオード素子）のランクとその数と位置についての情報、予めパターンとして設計された電子部品のランクとその数と位置についての情報など、複数の配列パターン情報も含まれる。
【００４８】
図２は、電子部品移送装置の各部の位置関係と動作方向を示す図である。
【００４９】
図２を参照して、電子部品移送装置１の各部の位置関係について更に説明する。図２は、図１の電子部品移送装置１をＺ方向上方から見た場合のピックアップ部１０の電子部品保持テーブル１１、実装部２０の実装基板保持台２１及び移載ヘッド３０の配置及び動作方向を示す図である。
【００５０】
図２に示されるように、移載ヘッド３０は、ピックアップ部１０のピックアップ位置Ｐｕと、実装部２０の実装位置Ｐｌとを結ぶ直線上に、複数の吸着ノズル３１をそれぞれ所定のマージン離隔した上で一列に保持する。
【００５１】
従って、ピックアップ部１０においては、ヘッドアクチュエータ３２の動作により移載ヘッド３０がＸ方向に移動されることで、移載ヘッド３０に保持される吸着ノズル３１が一つ一つピックアップ位置Ｐｕに移送される。他方で、実装部２０においては、ヘッドアクチュエータ３２の動作により移載ヘッド３０がＸ方向に移動されることで、移載ヘッド３０に保持される吸着ノズル３１が一つ一つ実装位置Ｐｌに移送される。
【００５２】
図２で示されるように、実装基板保持台２１には、複数の実装基板３００が配置される。ここで、実装基板保持台２１の一部を再配置部４００として利用し、残電子部品を再配置する。再配置及び残電子部品については、後述する。
【００５３】
制御部４０は、ピックアップ部１０、実装部２０及び移載ヘッド３０の各部の動作を制御する制御用のＣＰＵであって、関連各部と接続され、制御信号を供給することなどによって動作の制御を行う。
【００５４】
制御部４０は、例えばカメラ１９より送信されるウェハシート２００上の電子部品１００の画像を解析することで、各電子部品１００に位置座標を設定する。制御部４０は、所望の電子部品１００の位置座標に応じて電子部品保持テーブルアクチュエータ１２を動作させることによって、電子部品１００がピックアップ位置Ｐｕに来るよう、電子部品保持テーブル１１の位置調整を行う。
【００５５】
また、制御部４０は、実装基板３００上に位置座標を設定し、所望の座標を電子部品実装位置として電子部品の実装位置が実装位置Ｐｌに来るよう、実装基板保持台アクチュエータ２２を動作させて実装基板保持台２１の位置調整を行う。
【００５６】
同様に、制御部４０は、再配置部４００上に位置座標を設定し、所望の座標に再配置位置Ｐｒが来るよう、実装基板保持台アクチュエータ２２を動作させて実装基板保持台２１の位置調整を行う。
【００５７】
また、制御部４０は、カメラ２６より送信される画像解析結果に基づいて、実装基板３００上に配置された電子部品１００や再配置された残電子部品の品質の検査や位置情報の取得などを行う。
【００５８】
また、制御部４０は、カメラ１９、カメラ２６により撮像された画像を参照し、電子部品１００がＸＹ平面においてθ方向にずれて配置されている場合には、電子部品保持テーブルアクチュエータ１３と実装基板保持台アクチュエータ２２に制御信号を送信し、電子部品保持テーブル１１、実装基板保持台２１をそれぞれθ方向に動かし補正を行う。これにより、電子部品のピックアップ、実装、再配置がより確実に行われる。
【００５９】
制御部４０は、上記動作を電子部品情報格納部４１と配列情報格納部４２からの情報に応じて行う。例えば、電子部品情報格納部４１のランク情報と、配列情報格納部４２の実装基板３００において必要な数とそのランクの情報から、ウェハシート２００上の電子部品１００をどのように実装基板３００に実装すれば、効率よく実装できるかを制御部４０が算出して、制御信号を送信する。ここで、配列情報とは、実装基板内での各電子部品の実装位置、及び実装位置における各電子部品１００のランク情報を少なくとも含んでいる。
【００６０】
また、配列情報格納部４２に設定された所望の性能の情報と電子部品情報格納部４１のランク情報から、製品としての合格範囲内で、ランクを混在させて効率よく製造するように、制御部４０が算出して、制御信号を送信する。
【００６１】
さらに、モジュール完成時における所望の性能の情報入力を外部から受け、配列情報格納部４２の実装基板３００における必要実装数と位置情報から、所望の性能が得られるように実装基板３００における電子部品１００の実装位置とランクを計算する手段を備え、この計算結果に応じて、制御するようにしてもよい。
【００６２】
図３は、電子部品移送装置による電子部品のピックアップの態様を示す図である。
【００６３】
次に、図３を参照して、移載ヘッド３０の吸着ノズル３１がウェハシート２００上の電子部品１００を吸着によりピックアップする動作について説明する。図３では、各部の位置関係を状態１から状態４に分けて記載した。以下に説明する各部の動作は、制御部４０の制御の下、実施される。
【００６４】
電子部品１００のピックアップ動作においては、先ず、電子部品保持テーブルアクチュエータ１２が電子部品保持テーブル１１を移動させ、ピックアップ位置Ｐｕ（一点破線で示した軸上）に所望の電子部品１００を移動する。
【００６５】
同時に、又は相前後して、ヘッドアクチュエータ３２が移載ヘッド３０を移動させ、ピックアップ位置Ｐｕに所望の吸着ノズル３１を移動する（状態１）。この状態におけるピックアップハンマ１３、突き上げ針、吸着ノズル３１のＺ方向の位置が、それぞれのＺ方向における初期位置となる。
【００６６】
続いて、ピックアップモータ１５が上円板カム１４を回転させ、ピックアップハンマ１３を下方に移動させる。ピックアップハンマ１３は、移動に伴い、吸着ノズル３１の上端に接触した後、吸着ノズル３１を上方に付勢するバネ機構の付勢力に抗して吸着ノズル３１を下方に押し下げる。
【００６７】
押し下げられた吸着ノズル３１は、ピックアップハンマ１３が移動範囲の下端に達した位置で、電子部品１００に当接し、あらかじめ制御部４０が電子部品１００を吸着するために吸着ノズル３１の吸着を動作させ、電子部品１００を吸着する。また、突き上げモータ１８が下円板カム１７を回転させ、突き上げ針１６を電子部品１００に向かって移動させる（状態２）。
【００６８】
続いて、ピックアップモータ１５が上円板カム１４を回転させ、ピックアップハンマ１３を上方に移動させることで、吸着ノズル３１の押し下げを解除する。押し下げが解除された吸着ノズル３１は、バネ機構による付勢力により、電子部品１００を吸着した状態で上方向に移動する。同時に、突き上げ針１６の上端がウェハシート２００を貫通して電子部品１００を上方向に突き上げ、電子部品１００の下端をウェハシート２００から剥離させる方向に向かって移動させる（状態３）。
【００６９】
ピックアップハンマ１３、及び突き上げ針１６が、それぞれの初期位置に戻り、電子部品１００を下端に吸着させた吸着ノズル３１もＺ方向における初期位置に戻る。その後、電子部品保持テーブルアクチュエータ１２が電子部品保持テーブル１１を、次のピックアップ位置Ｐｕに次の電子部品１００がくるように移動させる。同時に、又は相前後して、ヘッドアクチュエータ３２が移載ヘッド３０を移動させ、ピックアップ位置Ｐｕに次の吸着ノズル３１を移動する（状態４）。
【００７０】
以上、説明した動作により、電子部品１００が移載ヘッド３０の吸着ノズル３１に吸着される。上述した動作を複数回繰り返すことにより、移載ヘッド３０に保持される複数の吸着ノズル３１のそれぞれに電子部品１００が吸着される。
【００７１】
なお、実装部２０における実装動作についても、同様の手順で実施される。具体的な手順について以下に説明する。電子部品１００の実装動作においては、先ず、実装基板保持台アクチュエータ２２が実装基板保持台２１を移動させ、実装基板３００上の所望の電子部品実装位置を実装位置Ｐｌに移動する。同時に、又は相前後して、ヘッドアクチュエータ３２が移載ヘッド３０を移動させ、実装位置Ｐｌに電子部品１００を吸着する吸着ノズル３１を移動する。このとき、実装ハンマ２３は、Ｚ方向における初期位置にある。
【００７２】
続いて、実装モータ２５が円板カム２４を回転させ、実装ハンマ２３を下方に移動させる。実装ハンマ２３は、移動に伴い、吸着ノズル３１の上端に接触した後、吸着ノズル３１を上方に付勢するバネ機構の付勢力に抗して吸着ノズル３１を下方に押し下げる。押し下げられた吸着ノズル３１に吸着される電子部品１００は、実装ハンマ２３が移動範囲の下端に達した位置で、実装基板３００に当接する。
【００７３】
このとき、制御部４０が電子部品１００を吸着する吸着ノズル３１の吸着を解除することで、電子部品１００が実装基板３００上の電子部品実装位置に配置される。実装基板３００は粘着性を有するため、電子部品１００は電子部品実装位置において実装基板３００に接着する。
【００７４】
続いて、実装モータ２５が円板カム２４を回転させ、実装ハンマ２３を上方に移動することで、吸着ノズル３１の押し下げを解除する。押し下げが解除された吸着ノズル３１は、バネ機構による付勢により、電子部品１００を吸着していない状態で上方向に移動する。
【００７５】
実装ハンマ２３が初期位置に戻り、電子部品１００の配置を終えた吸着ノズル３１もＺ方向における初期位置に戻った後、実装基板保持台アクチュエータ２２が実装基板保持台２１を移動させ、実装位置Ｐｌに次の実装位置を移動する。
【００７６】
同時に、又は相前後して、ヘッドアクチュエータ３２が移載ヘッド３０を移動させ、実装位置Ｐｌに次の電子部品１００を吸着する吸着ノズル３１を移動する。
【００７７】
以上、説明した動作により、移載ヘッド３０により移送された電子部品１００が実装基板３００上に実装される。上述した動作を複数回繰り返すことにより、移載ヘッド３０に備えられる複数の吸着ノズル３１にそれぞれ吸着される電子部品１００が実装基板３００上に実装される。
【００７８】
また、実装部２０における再配置動作についても、同様の手順で実施される。具体的な手順について以下に説明する。残電子部品の再配置動作においては、先ず、実装基板保持台アクチュエータ２２が実装基板保持台２１を移動させ、再配置部４００上の所望の電子部品再配置位置を再配置位置Ｐｒに移動する。同時に、又は相前後して、ヘッドアクチュエータ３２が移載ヘッド３０を移動させ、再配置位置Ｐｒに残電子部品を吸着する吸着ノズル３１を移動する。このとき、実装ハンマ２３は、Ｚ方向における初期位置にある。
【００７９】
続いて、実装モータ２５が円板カム２４を回転させ、実装ハンマ２３を下方に移動させる。実装ハンマ２３は、移動に伴い、吸着ノズル３１の上端に接触した後、吸着ノズル３１を上方に付勢するバネ機構の付勢力に抗して吸着ノズル３１を下方に押し下げる。押し下げられた吸着ノズル３１に吸着される残電子部品は、実装ハンマ２３が移動範囲の下端に達した位置で、再配置部４００に当接する。
【００８０】
このとき、制御部４０が残電子部品を吸着する吸着ノズル３１の吸着を解除することで、残電子部品が再配置部４００上の所望の電子部品再配置位置に配置される。再配置部４００は粘着性を有するため、残電子部品は所望の電子部品再配置位置において再配置部４００に接着する。
【００８１】
続いて、実装モータ２５が円板カム２４を回転させ、実装ハンマ２３を上方に移動することで、吸着ノズル３１の押し下げを解除する。押し下げが解除された吸着ノズル３１は、バネ機構による付勢により、残電子部品を吸着していない状態で上方向に移動する。
【００８２】
実装ハンマ２３が初期位置に戻り、残電子部品の配置を終えた吸着ノズル３１もＺ方向における初期位置に戻った後、実装基板保持台アクチュエータ２２が実装基板保持台２１を移動させ、再配置位置Ｐｒに次の再配置位置を移動する。
【００８３】
同時に、又は相前後して、ヘッドアクチュエータ３２が移載ヘッド３０を移動させ、再配置位置Ｐｒに次の残電子部品を吸着する吸着ノズル３１を移動する。
【００８４】
以上、説明した動作により、移載ヘッド３０により移送された残電子部品が再配置部４００上に配置される。上述した動作を複数回繰り返すことにより、移載ヘッド３０に備えられる複数の吸着ノズル３１にそれぞれ吸着される残電子部品が再配置４００上に配置される。
【００８５】
図４は、本実施形態の電子部品移送装置および電子部品移送方法の動作の流れを示すフローチャートである。次に、電子部品移送装置１によるピックアップ動作及び実装動作、再配置動作を含む、全体的な動作の流れを示すフローチャートである図４を参照して電子部品移送装置１の動作を説明する。
【００８６】
電子部品移送装置１では、一連の動作の開始時に、電子部品１００が保持されるウェハシート２００がピックアップ部１０の電子部品保持テーブル１１の上に設置される（ステップＳ１）。このウェハシート２００上には、ランクの異なる複数の電子部品１００がウェハ状に配置されている。
【００８７】
同時に、又は相前後して、電子部品１００が実装される実装基板３００と再配置部４００が実装部２０の実装基板保持台２１上に設置される（ステップＳ２）。
【００８８】
次に、ピックアップ部１０のカメラ１９は、ウェハシート２００上に配置される全ての電子部品１００について画像を撮像し、制御部４０へと画像情報を送信する。制御部４０は、送信された画像情報に基づき、ウェハシート２００上のインデックスと、電子部品情報格納部４１から取得した電子部品情報（ウェハシート２００上の電子部品１００のランク情報と位置情報を含む）に含まれたインデックスとを照合する。
【００８９】
制御部４０は、照合が一致した電子部品情報（ランク情報と位置情報を含む）の位置情報と、上記カメラ１９によって撮像された画像情報に基いて各電子部品１００に座標を設定し、生成された位置情報とをリンクさせる。これによって、制御部４０は、ウェハシート２００上に配置された電子部品１００の位置とランクを認識可能となる。なお、電子部品情報格納部４１は、前工程のプローブ検査装置の記憶部またはサーバ上にある記憶部などから電子部品情報を取得している（ステップＳ３）。
【００９０】
続いて、制御部４０は、配列情報格納部４２から実装基板３００に実装する電子部品１００の配列情報（ランク情報と位置情報を含む）を取得する（ステップＳ４）。
【００９１】
制御部４０は、電子部品情報と配列情報から制御信号を生成し、各アクチュエータへ送信する（ステップＳ５）。
【００９２】
次に、制御部４０は、移載ヘッド３０をピックアップ部１０へと移動させ（ステップＳ６）、ピックアップ動作を実行する（ステップＳ７）。
【００９３】
かかるピックアップ動作により、ウェハシート２００上に配置される電子部品１００が、移載ヘッド３０の複数の吸着ノズル３１のそれぞれに吸着される。なお、ピックアップ動作については後述する。
【００９４】
続いて、制御部４０は、移載ヘッド３０を実装部２０へと移動させ（ステップＳ８）、実装動作を実行する（ステップＳ９）。
【００９５】
かかる実装動作により、移載ヘッド３０内の複数の吸着ノズル３１のそれぞれに吸着されている電子部品１００が、実装基板３００へと実装される。なお、実装動作については後述する。
【００９６】
制御部４０は、ウェハシート２００上の実装されるべき全ての電子部品１００が実装基板３００に実装されるまで（ステップＳ１０：Ｙｅｓ）、ステップＳ６からステップＳ９までの一連の動作を繰り返す。制御部４０は、実装されるべき全ての電子部品１００が実装基板３００に実装されると、実装が完了した信号を受信する。
【００９７】
また、制御部４０は、強制再配置信号を受信し、強制的にウェハシート上の電子部品１００を残電子部品として、再配置部４００へ配置させることもできる（図４には図示せず）。この強制再配置信号はステップ６〜９のいずれの工程においても受信することができ、受信後、直ちにウェハシート上の電子部品１００を残電子部品として、再配置部４００へ配置させる。
【００９８】
ウェハシート２００上の実装されるべき全ての電子部品１００が実装されると、ウェハシート２００上には、残電子部品が配置されたまま残っている。
【００９９】
実装されるべき全ての電子部品１００が実装基板３００に実装されると、制御部４０は、すでに照合が一致した電子部品情報から残電子部品の有無を確認する。さらに、あらためてカメラ１９によって撮像された画像からウェハシート２００上の照合が一致しない残電子部品の有無を確認することもできる（ステップＳ１１）。残電子部品を確認した結果、残電子部品がない場合は、再配置すべき電子部品１００がないので（ステップＳ１１：Ｎｏ）、終了となる。
【０１００】
ウェハシート２００上に残電子部品が確認されると（ステップＳ１１：Ｙｅｓ）、制御部４０は、移載ヘッド３０をピックアップ部１０へと移動させ（ステップＳ１２）、ピックアップ動作を実行する（ステップＳ１３）。
【０１０１】
かかるピックアップ動作により、ウェハシート２００上に保持される残電子部品が、移載ヘッド３０内の複数の吸着ノズル３１のそれぞれに吸着される。なお、ピックアップ動作はステップ７と同様になされる。
【０１０２】
続いて、制御部４０は、移載ヘッド３０を実装部２０へと移動させ（ステップＳ１４）、再配置動作を実行する（ステップＳ１５）。
【０１０３】
かかる再配置動作により、移載ヘッド３０内の複数の吸着ノズル３１のそれぞれに吸着されている残電子部品が、再配置部４００へと再配置される。なお、再配置動作については後述する。
【０１０４】
制御部４０は、再配置が終了するまで（ステップＳ１６：Ｙｅｓ）、ステップＳ１２からステップＳ１５までの一連の動作を繰り返す。不良品の電子部品および良品でランク３０４Ｃ付与された電子部品から成る残電子部品を再配置部４００において、ランク不明品を含む不良品を別にして、良品はランク毎に配置される。
【０１０５】
なお、ランク不明品を含む不良品はウェハシート２００にそのまま残しておき、良品でウェハシート２００上に残った電子部品のみを残電子部品として再配置部にランク毎、配置するようにしてもよい。この場合は、制御部４０は良品でウェハシート２００に残った電子部品のみを残電子部品として認識して、各アクチュエータを制御する。
【０１０６】
ランクの異なる複数の電子部品がウェハ状に配置されているウェハシートを電子部品保持テーブルに保持するウェハシート保持工程は、ステップS１に対応する。
【０１０７】
電子部品保持テーブルにおけるウェハシート上の電子部品の位置情報と電子部品のランク情報からなる電子部品情報を電子部品情報格納部に格納する電子部品情報格納工程は、ステップS３に対応する。
【０１０８】
配置部における電子部品の配列情報を配列情報格納部に格納する配列情報格納工程は、ステップS４に対応する。
【０１０９】
ウェハシートから電子部品を１または複数個ずつ取り出し、配置部へ移送する移送工程は、ステップS６−９に対応する。
【０１１０】
電子部品情報と前記配列情報に基づいて電子部品を前記配置部における所定の位置へ移送し、前記ウェハシート上に残った残電子部品を再配置部に移送するように電子部品移送部を制御する制御工程は、ステップS１２−１５に対応する。
【０１１１】
図５は、本実施形態のピックアップ動作の流れを示すフローチャートである。次に電子部品移送装置１のピックアップ部１０による電子部品１００のピックアップ動作（図４のステップ７）について、図５のフローチャートを参照して説明する。
【０１１２】
先ず、制御部４０は、最初にピックアップを行う電子部品１００を基準電子部品に設定する。カメラ１９は、この基準電子部品について画像を撮像し、制御部４０へと画像情報を送信する。制御部４０は、送信された画像情報に基づき、基準電子部品に再度座標を設定し、位置情報を生成する（ステップＳ１０１）。
【０１１３】
制御部４０は、初めにカメラ１９による撮像された画像より取得された（図４、ステップＳ３）全電子部品１００の位置情報と、改めて取得された基準電子部品の位置情報とを比較し、基準電子部品の位置が最初の（即ち、ステップＳ３において検出された）位置からどれだけずれているかを検出し、ずれを補正するための位置補正量を算出する（ステップＳ１０２）。
【０１１４】
制御部４０は、改めて取得された基準電子部品の位置情報を適用して、格納される基準電子部品の位置情報を更新する（ステップＳ１０３）。
【０１１５】
次に、制御部４０は、基準電子部品の更新後の位置情報に基づいて電子部品保持テーブルアクチュエータ１２を動作させ、基準電子部品がピックアップ位置Ｐｕに移動されるよう、電子部品保持テーブル１１を移動させる（ステップＳ１０４）。
【０１１６】
同時に、又は相前後して、制御部４０は、ヘッドアクチュエータ３２を動作させ、電子部品１００を吸着していない吸着ノズル３１がピックアップ位置Ｐｕに移動されるよう、移載ヘッド３０を移動させる（ステップＳ１０５）。
【０１１７】
続いて、制御部４０は、吸着ノズル３１に基準電子部品を吸着させ、電子部品１００のピックアップを行う（ステップＳ１０６）。
【０１１８】
具体的には、制御部４０は、ピックアップモータ１５を駆動させ、ピックアップハンマ１３に吸着ノズル３１を押し下げさせる。同時に、制御部４０は、突き上げモータ１８を駆動させ、突き上げ針１６に電子部品１００を突き上げさせる。
【０１１９】
電子部品１００は、ピックアップハンマ１３に押し下げられた吸着ノズル３１と接触することで吸着され、更に吸着ノズル３１が上方向に移動するとともに、突き上げ針１６により突き上げられることで、ウェハシート２００より剥離しピックアップされる。
【０１２０】
次に、ピックアップ可能な電子部品１００が存在し（ステップＳ１０７：Ｙｅｓ）、且つ、電子部品１００を吸着していない吸着可能な吸着ノズル３１が存在する場合（ステップＳ１０８：Ｙｅｓ）、次の電子部品１００のピックアップが行われる。
【０１２１】
制御部４０は、次の電子部品１００について格納されている位置情報を読み出し、この電子部品１００の座標と更新前の基準電子部品の座標（即ち、ステップＳ３において検出された座標）とを比較し、この電子部品１００の位置が補正量適用エリア内であるか否かの判定を行う。
【０１２２】
補正量適用エリアは、基準電子部品の位置座標を起点とする所定の範囲を示す。かかる補正量適用エリア内では、各電子部品１００について、最初の電子部品１００位置の検出（即ち、図４のステップＳ３）から、基準電子部品の位置の再検出（即ち、図５のステップＳ１０１）との間に生じた位置のずれが同様であると見なすことが出来る。
【０１２３】
電子部品１００位置のずれは、伸長されるウェハシート２００の伸縮が大きな要因となっており、ある程度近い範囲内の電子部品１００であれば、位置のずれは同程度であると考えられる。
【０１２４】
基準電子部品のピックアップを行った後に、ピックアップされる電子部品が補正量適用エリア内に存在するのであれば、電子部品の位置のずれは、基準電子部品の位置のずれと同程度であると考えられる。このため、この電子部品について改めて座標を検出して、位置情報の取得を行わなくとも、基準電子部品の補正量を適用することで、次にピックアップされる電子部品についてずれた後の位置情報を算出できると考えられる。
【０１２５】
なお、補正量適用エリアを規定する、基準電子部品を中心とする所定の範囲は、適宜変更されてよく、例えば、電子部品１００の位置のずれの要因となるウェハシート２００の伸縮性などに応じて適宜変更されてよい。
【０１２６】
制御部４０は、次の電子部品１００の位置が基準電子部品を基準とする補正量適用エリア内である場合（ステップＳ１０９：Ｙｅｓ）、基準電子部品の位置補正量を用いて、この電子部品１００の位置情報の補正を行う（ステップＳ１１０）。
【０１２７】
具体的には、格納されたこの電子部品１００の位置情報に対し、基準電子部品の位置補正量を適用したものを補正後の位置情報とする。
【０１２８】
制御部４０は、次の電子部品１００の補正後の位置情報に基づいて、電子部品保持テーブルアクチュエータ１２を動作させ、この電子部品１００がピックアップ位置Ｐｕに移動されるよう、電子部品保持テーブル１１を移動させる（ステップＳ１１１）。
【０１２９】
続いて、電子部品１００を吸着していない次の吸着ノズル３１をピックアップ位置Ｐｕに移動させ（ステップＳ１０５）、次の電子部品１００のピックアップを行わせる。
【０１３０】
他方で、次の電子部品１００の位置が基準電子部品を基準とする補正量適用エリア外である場合（ステップＳ１０９：Ｎｏ）、制御部４０は、この電子部品１００を新しい基準電子部品に設定する。
【０１３１】
制御部４０は、新しい基準電子部品について、画像の撮像による位置情報の取得（ステップＳ１０１）、位置補正量の算出（ステップＳ１０２）、及び位置情報の更新（ステップＳ１０３）を行い、ステップＳ１０４以降のピックアップ動作を実行させる。
【０１３２】
以上、説明した構成によれば、移載ヘッド３０に保持される複数の吸着ノズル３１について、連続してウェハシート２００上に配置される電子部品１００の吸着動作を行うことが可能となる。このため、移載ヘッド３０の一度の移動で、複数の電子部品１００をまとめて実装部２０へ移送することが可能となる。
【０１３３】
電子部品移送装置１では、電子部品１００の取り出しを行う位置であるピックアップ位置Ｐｕを定め、このピックアップ位置Ｐｕに１つずつ順番に吸着ノズル３１及び電子部品１００を移送している。このため、比較的短時間で位置決めを行うことが可能となり、タクトタイムの短縮が実現出来る。
【０１３４】
なお、電子部品１００の移送と、吸着ノズル３１の移送を並行して行うことで、更なるタクトタイムの短縮が見込まれる。また、電子部品１００の状態や形状、ランクに応じて、吸着する電子部品１００を適宜選択することで、電子部品１００の仕分けが可能となる。
【０１３５】
図６は、本実施形態の実装動作の流れを示すフローチャートである。次に電子部品移送装置１の実装部２０による電子部品１００の実装動作（図４のステップ９）について、図６のフローチャートを参照して説明する。
【０１３６】
制御部４０は、配列情報に応じて実装基板保持台２１上に予め設定された座標などに基づき、実装基板保持台アクチュエータ２２を動作させる制御信号を送信し、実装基板３００上の所望の電子部品実装位置が実装位置Ｐｌに移動されるよう、実装基板保持台２１を移動させる（ステップＳ２０１）。
【０１３７】
同時に、又は相前後して、制御部４０は、ヘッドアクチュエータ３２を動作させ、電子部品１００を吸着している吸着ノズル３１が実装位置Ｐｌに移動されるよう、移載ヘッド３０を移動させる（ステップＳ２０２）。
【０１３８】
続いて、制御部４０は、吸着ノズル３１に吸着される電子部品１００が実装基板３００上の電子部品実装位置に実装されるよう、吸着の解除を行う（ステップＳ２０３）。
【０１３９】
具体的には、制御部４０は、実装モータ２５を駆動させ、実装ハンマ２３に吸着ノズル３１を押し下げさせる。押し下げられた吸着ノズル３１に吸着される電子部品１００が実装基板３００に接触した後に、制御部４０は、この吸着ノズル３１の吸着を解除し、電子部品１００を実装基板３００上の電子部品実装位置に実装する。
【０１４０】
次に、移載ヘッド３０に設けられた吸着ノズル３１が吸着している電子部品が存在しなくなるまで（ステップＳ２０４：Ｙｅｓ）、制御部４０は、ステップＳ２０１からステップＳ２０３までの一連の動作を繰り返させる。
【０１４１】
吸着ノズル３１に電子部品が存在しているか否かは、制御部４０によって、指定された移送されるべき数と、カメラ２６により撮像された画像上の移送済みの数が一致した場合に、吸着ノズル３１に電子部品が存在していないと見做すことができる。
【０１４２】
吸着ノズル３１に吸着される全ての電子部品１００が実装基板３００に実装されると（ステップＳ２０４：Ｎｏ）、実装動作が終了する。
【０１４３】
図７は、本実施形態の再配置動作の流れを示すフローチャートである。次に電子部品移送装置１の実装部２０による残電子部品の再配置動作（図４のステップ１５）について、図７のフローチャートを参照して説明する。
【０１４４】
制御部４０は、実装基板保持台２１上に予め設定された座標などに基づき、実装基板保持台アクチュエータ２２を動作させる制御信号を送信し、再配置部４００上の所望の電子部品再配置位置が再配置位置Ｐｒに移動されるよう、実装基板保持台２１を移動させる（ステップＳ３０１）。
【０１４５】
同時に、又は相前後して、制御部４０は、ヘッドアクチュエータ３２を動作させ、残電子部品を吸着している吸着ノズル３１が再配置位置Ｐｒに移動されるよう、移載ヘッド３０を移動させる（ステップＳ３０２）。
【０１４６】
続いて、制御部４０は、吸着ノズル３１に吸着される残電子部品が再配置部４００上の電子部品再配置位置に配置されるよう、吸着の解除を行う（ステップＳ３０３）。
【０１４７】
具体的には、制御部４０は、実装モータ２５を駆動させ、実装ハンマ２３に吸着ノズル３１を押し下げさせる。押し下げられた吸着ノズル３１に吸着される残電子部品が再配置４００に接触した後に、制御部４０は、この吸着ノズル３１の吸着を解除し、残電子部品を再配置４００上の電子部品再配置位置に配置する。
【０１４８】
次に、移載ヘッド３０に設けられた吸着ノズル３１が吸着している残電子部品が存在しなくなるまで（ステップＳ３０４：Ｙｅｓ）、制御部４０は、ステップＳ３０１からステップＳ３０３までの一連の動作を繰り返させる。
【０１４９】
吸着ノズル３１に電子部品が存在しているか否かは、制御部４０によって、指定された移送されるべき数と、カメラ２６により撮像された画像上の移送済みの数が一致した場合に、吸着ノズル３１に電子部品が存在していないと見做すことができる。
【０１５０】
吸着ノズル３１に吸着される全ての残電子部品が再配置４００に配置されると（ステップＳ３０４：Ｎｏ）、再配置動作が終了する。
【０１５１】
次に図８、９を参照して、電子部品として発光ダイオード素子を適用した場合における、ウェハシート上から基板への実装および再配置部への配置について説明する。なお、電子部品移送装置１による移送・実装・再配置については、上述した構成及び動作がそのまま適用可能であるので、説明を省略する。
【０１５２】
図８は、ウェハシート上の発光ダイオード素子と、基板に実装された発光ダイオードモジュールを示したものの一例である。ここで、電子部品１００は発光ダイオード素子であり、実装基板３００はセラミック基板又はガラス基板など、発光ダイオードモジュールの基板として、発光ダイオード素子が実装可能な基板である。
【０１５３】
ウェハシート２００上の発光ダイオード素子には、前工程における発光ダイオード素子の製造工程での製造条件などにより、品質にバラツキがある状態で受け取る。この品質のバラツキは、発光ダイオード製造時のチャンバー内の雰囲気や発光ダイオード素子の洗浄、発光ダイオード素子の膜厚のバラツキなどから生じる製造上避けられないバラツキである。このバラツキを考慮せずに製品やモジュールを製造すると、完成品においてバラツキが生じ、最終的に歩留りが悪くなる。
【０１５４】
従って、プローブ検査などにより、発光ダイオード素子１つ１つを検査し、検査結果に応じてランク分けを行う。図８のウェハシートは、検査結果を模式的に示したものであり、○がＡランクの発光ダイオード素子、●がＢランクの発光ダイオード素子、×がＣランクの発光ダイオード素子、■が不良素子を示している。実際には、数十のランクが存在するが、本実施形態の説明においては３ランクで説明する。ランクが数十ランクになっても、本発明の適用は可能である。
【０１５５】
この検査結果とランク分けの情報は、位置情報と結び付けられ、１枚１枚に付されたウェハシートのインデックス番号またはコードなどとともに、サーバ上または前工程の検査装置の記憶部などに格納される。または電子部品情報格納部４１に直接格納するようにしてもよい。
【０１５６】
電子部品情報格納部４１は、前工程の検査装置または上記記憶部から電子部品情報を取得する。一方、配列情報格納部４２では、基板における実装すべき発光ダイオード素子のランクと位置に関する情報である配列情報が入力されている。
【０１５７】
配列情報は、例えば、発光ダイオード素子の光度（ルクス）や光量、波長など、ランク分けをするために必要な情報と、この情報に応じて予めランク分けされたランク情報と、位置情報などがある。
【０１５８】
発光ダイオードモジュールにおけるランク情報と位置情報について、具体的に説明する。図８における、実装基板に対して各ランクの実装工程を経て、発光ダイオードモジュールとして完成した状態３を参照して説明する。
【０１５９】
発光ダイオードモジュールの場合、モジュールに使用される全ての発光ダイオード素子が必ずしも最高ランクである必要がない。これは、モジュールとして光量や光度が結果としてバラツキが少なく、仕様上、許容可能な範囲で製造できればいいからである。
【０１６０】
このため、発光ダイオードモジュールには、最高ランク以外のランクの発光ダイオード素子が実装される。ただし、端部はコントラストなどの関係からランクが比較的高いものが要求され、中心部はランクが低いものであってもよいなど、その発光ダイオードモジュールの仕様に応じての制約はある。
【０１６１】
図８の状態３の発光ダイオードモジュールでは、端部は最高ランクであるＡランクが使用され、中心に行くに従って、ランクの低いものを採用するように実装している。つまり、ランクの低いＣランクを中心に実装し、その周りをＢランク、その周りをＡランクで囲うように実装し、モジュール全体の光度、光量を担保するように実装している。
【０１６２】
このように配列のパターンは、最終製品で求められる仕様に応じて必要なランクの発光ダイオード素子を、適切な位置に実装するという考えから複数のパターンが用意される。従って、例えば、実装部２０の実装基板保持台２１に複数の基板が保持されているときに、その複数の基板それぞれに対して同一の配列パターンで実装することも、異なるパターンで実装することも可能となる。
【０１６３】
制御部４０は、配列情報に応じて、電子部品情報を参照して、ウェハシート２００上のどの位置の、どのランクの発光ダイオード素子をピックアップし、基板へ実装するかを算出し、電子部品保持テーブルアクチュエータ１２、実装基板保持台アクチュエータ２２、移載ヘッド３０に制御信号を送信する。
【０１６４】
これにより、発光ダイオード素子は、移載ヘッド３０の吸着ノズル３１によってウェハシート２００からピックアップされ、基板へと実装される。
【０１６５】
例えば、図８では、実装基板保持台２１に配置された１枚の基板に対して、実装すべき発光ダイオード素子のうち一番多いＡランクの発光ダイオード素子をまず、基板へ実装している（状態１）。
【０１６６】
次に、Ｂランクの発光ダイオード素子をウェハシート２００上からピックアップし（状態２）、実装し、最後にＣランクの発光ダイオード素子をウェハシート２００上からピックアップし、実装する（状態３）。
【０１６７】
なお、この実装時に各ランクの発光ダイオード素子の実装後に、実装済みの電子部品について検査をするようにしてもよい。このような検査を各ランクの実装後に行うことで、タクトタイムの短縮が可能となり、またＡランクなど、ウェハシート２００上に多い発光ダイオード素子から検査を行った場合、Ａランクの実装後の検査で問題を検出した場合に、その基板への実装を停止し、より少ない電子部品であるＢランクやＣランクの発光ダイオード素子を無駄に使用することを防ぐことも可能となる。
【０１６８】
また、検査は、基板への実装終了後、基板毎に行ってもよい。検査は、実装部２０のカメラ２６によって撮像された画像に基いて行われる。
【０１６９】
カメラ２６によって撮像された画像において、各発光ダイオード素子があるべき位置に存在しているか、あるべき位置に他の発光ダイオード素子と所定の距離離間して実装されているか、斜めや横になって実装されていないかなどを、検査する。
【０１７０】
なお、図８の説明において、基板上で一番多く実装されるＡランクの発光ダイオード素子から実装することを説明したが、実装順序はこれに限らず、基板上で一番少なく実装されるランクの発光ダイオード素子からや、ウェハシート２００上で一番多いランクの発光ダイオード素子や一番少ない発光ダイオード素子から実装してもよい。
【０１７１】
図９は、実装するべき発光ダイオード素子を実装した後にウェハシート上に残った残発光ダイオード素子と、再配置部４００に配置された残発光ダイオード素子を示したものの一例である。次に、図９を参照して、ウェハシート上に残った残発光ダイオード素子の再配置部４００への配置について説明する。
【０１７２】
制御部４０は、配列情報に応じて、発光ダイオード素子を実装基板３００に実装していき、実装後にすでに照合が一致した電子部品情報から残電子部品の有無を確認する。さらにカメラ１９によって撮像された画像からウェハシート２００上の照合が一致しない残電子部品の有無を確認する。その後、設定された全ての実装基板３００に対して実装を終了させる。次に、制御部４０は、カメラ１９によって撮像された画像からウェハシート２００に残った発光ダイオード素子の確認を行う。
【０１７３】
制御部４０は、残った発光ダイオード素子を再配置部４００に配置する。例えば、図９の右側に描いた再配置部４００で示すように、■で示された不良素子、○で示されたＡランクの発光ダイオード素子、●で示されたＢランクの発光ダイオード素子、×で示されたＣランクの発光ダイオード素子が配置される。
【０１７４】
このように再配置部４００に、規則的に配置することで、再配置部４００上の発光ダイオード素子が利用しやすくなる。また、再配置部４００を基板とは別に設けた場合、再配置部４００を移動し、ピックアップ部１０に再度、保持させることも簡単となる。
【０１７５】
本実施形態では、ランク不明素子を含む不良素子も再配置部４００へ配置するようにしたが、ランク不明素子を含む不良素子は廃棄されるものであるため、ウェハシート２００にそのまま残しておき、良品の発光ダイオード素子のみを再配置部４００へ規則的に配置させることが好ましい。
【０１７６】
なお、ウェハシート２００上の電子部品１００や残電子部品のピックアップは複数個ずつに限らず、移載ヘッド３０に１つの吸着ノズル３１が形成されたもので、１つずつピックアップしてもいい。移載ヘッド３０に形成された単ノズルによって、電子部品１００を１つずつ、基板毎にランク順に実装して個々の基板を完成させることや、実装基板保持台２１上の複数の実装基板３００に対してランク順に実装して複数の基板への実装を完成させることができる。
【０１７７】
本実施形態では、一例として配置部として実装基板３００が設けられた実装基板保持台２１と同一平面上に再配置部４００を設け、再配置部４００に残電子部品を配置する例を示したが、移送される側の配置用ウェハシートの一部を再配置部として利用し、残電子部品をピックアップ部に配置されたウェハシートの一部に移送するように構成してもよい。
【０１７８】
また、複数の実装基板３００の１つ、または複数を再配置部４００として利用することも可能である。なお、再配置部４００は別途、ピックアップ可能なように構成されることが好ましく、再配置部４００に配置された各ランクの電子部品１００に関する位置情報とランク情報は、別途使用可能なように記憶部に格納される。
【０１７９】
＜実施形態の構成及び効果＞
本実施形態における電子部品移送装置は、ランクの異なる複数の発光ダイオード素子がウェハ状に配置されているウェハシートを保持する電子部品保持テーブルと、電子部品保持テーブルにおけるウェハシート上の発光ダイオード素子の位置情報とこの発光ダイオード素子のランク情報からなる電子部品情報を格納する電子部品情報格納部と、ウェハシート上から発光ダイオード素子を１または複数個ずつ取り出し、配置部へ移送する電子部品移送部と、配置部における発光ダイオード素子の配列情報を格納する配列情報格納部と、ウェハシート上に残った発光ダイオード素子を再配置する再配置部と、電子部品情報と配列情報に基づいて発光ダイオード素子を配置部における所定の位置へ移送し、ウェハシート上に残った発光ダイオード素子を再配置部に移送するように電子部品移送部を制御する制御部とを備える。
【０１８０】
上記のように構成したことで、ウェハシート上に残った発光ダイオード素子を適切に、規則的に再配置部へ配置することができ、後工程で、簡単に利用することができる。
【０１８１】
再配置部はウェハシートと同一のウェハシート上に設けられている。このため、再配置用に別途、シートを設ける必要がなく、また、最短の距離で、再配置ができるため、タクトタイムの減少にもつながる。
【０１８２】
さらに再配置部は、配置部を備える台と同一平面上に設けたシートでもよい。このため、配置動作と同様に、配置部側で、ウェハシートに残った発光ダイオード素子を再配置することができる。
【０１８３】
さらに、再配置部を配置部の一部に設けることも可能である。配置部の一部を再配置部として利用するので、再配置部を別途設ける必要がなく、再配置を行うことができる。
【０１８４】
制御部は、配置部に対する移送が完了したことを知らせる信号または強制再配置信号を受信したときに、残電子部品を再配置部に再配置するように電子部品移送部を制御する。これにより、制御部は、移送すべき全ての電子部品の移送後、または電子部品の移送中のどのようなタイミングにおいてでも、ウェハシート上の発光ダイオード素子を残電子部品として、再配置部へ配置させることができる。
【０１８５】
制御部は、残電子部品をランク情報に基いて再配置するので、残電子部品を再配置部において、ランク毎に規則的に配置することができる。
【０１８６】
配置部は基板であってもよい。このため、ピックアップ部のウェハシート上の電子部品を直接、基板へ実装する電子部品実装装置のような場合に、本発明を適用できる。
【０１８７】
残電子部品は、ランク不明素子を含み不良と判断された電子部品及び／又は、配置部又は基板への必要実装数が満たされ余った良品の電子部品である。
【０１８８】
本実施形態における電子部品移送方法は、ランクの異なる複数の電子部品がウェハ状に配置されているウェハシートを電子部品保持テーブルに保持するウェハシート保持工程と、電子部品保持テーブルにおけるウェハシート上の電子部品の位置情報と電子部品のランク情報からなる電子部品情報を電子部品情報格納部に格納する電子部品情報格納工程と、配置部における電子部品の配列情報を配列情報格納部に格納する配列情報格納工程と、ウェハシートから電子部品を１または複数個ずつ取り出し、配置部へ移送する移送工程と、電子部品情報と前記配列情報に基づいて電子部品を前記配置部における所定の位置へ移送し、前記ウェハシート上に残った残電子部品を再配置部に移送するように電子部品移送部を制御する制御工程とを備える。
【０１８９】
上記のように構成したことで、ウェハシート上に残った発光ダイオード素子を適切に、規則的に再配置部へ配置することができ、後工程で、簡単に利用することができる。
【０１９０】
＜定義部＞
本発明において、電子部品は、一例として発光ダイオード素子を用いたが、例えば、半導体素子、抵抗素子、トランジスタなどでもよく、また、その性質によって複数のランクに分けることが可能な電子部品であれば、どのような電子部品であってもよい。
【０１９１】
本発明において、基板とは、例えば、セラミック基板、ガラス基板、プリント基板などの基板であり、電子部品を実装可能な基板であればよい。
【０１９２】
本発明において、電子部品情報とは、例えば、ウェハシート上のインデックスを含む、各発光ダイオード素子の位置情報と、光量、波長などの情報を含むランク情報のことである。また、ランク情報は、光量、波長などの情報から予め決められたランクに分けられたランク情報でもよい。なお、電子部品情報格納部は、電子部品実装装置の記憶部内以外にも、電子部品実装装置の外部の記憶装置、例えば、前工程のプローブ検査装置の記憶部や、このプローブ検査装置と接続されたサーバ、ＣＤ、メモリーなどの記憶媒体のことであり、記憶可能なものであれば、どのようなものであってもよい。
【０１９３】
本発明において、配列情報とは、基板内での各発光ダイオード素子の実装位置情報、及び実装位置における各発光ダイオード素子のランク情報のことである。なお、配列情報格納部電子部品実装装置の記憶部内以外にも、電子部品実装装置の外部の記憶装置、例えば、電子部品実装装置と接続されたコンピュータ、サーバ、ＣＤ、メモリーなどの記憶媒体のことであり、記憶可能なものであれば、どのようなものであってもよい。
【０１９４】
本発明において、再配置部とは、例えば、ピックアップ部側に設けられたウェハシートの一部またはこのウェハシートとは別に設けられたシート、実装部側に設けられた複数の実装基板の一部またはこの実装基板とは別に設けられたシートなど、装置において利用できるスペースであれば、どこに構成してもよい。
【符号の説明】
【０１９５】
１        電子部品移送装置
１０      ピックアップ部
１１      電子部品保持テーブル
１２      電子部品保持テーブルアクチュエータ
１３      ピックアップハンマ
１４      上円板カム
１５      ピックアップモータ
１６      突き上げ針
１７      下円板カム
１８      突き上げモータ
１９      カメラ
２０      実装部
２１      実装基板保持台
２２      実装基板保持台アクチュエータ
２３      実装ハンマ
２４      円板カム
２５      実装モータ
２６      カメラ
３０      移載ヘッド
３１      吸着ノズル
３２      ヘッドアクチュエータ
４０      制御部
４１      電子部品情報格納部
４２      配列情報格納部
１００    電子部品
２００    ウェハシート
３００    実装基板
４００    再配置部
Ｐｕ      ピックアップ位置
Ｐｌ      実装位置
Ｐｒ      再配置位置
【図１】
2013108366.tif 000003
【図２】
2013108366.tif 000004
【図３】
2013108366.tif 000005
【図４】
2013108366.tif 000006
【図５】
2013108366.tif 000007
【図６】
2013108366.tif 000008
【図７】
2013108366.tif 000009
【図８】
2013108366.tif 000010
【図９】
2013108366.tif 000011
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
ランクの異なる複数の電子部品がウェハ状に配置されているウェハシートを保持する電子部品保持テーブルと、
前記電子部品保持テーブルにおける前記ウェハシート上の前記電子部品の位置情報と前記電子部品のランク情報からなる電子部品情報を格納する電子部品情報格納部と、
前記ウェハシートから前記電子部品を１または複数個ずつ取り出し、配置部へ移送する電子部品移送部と、
前記配置部における前記電子部品の配列情報を格納する配列情報格納部と、
前記ウェハシート上に残った残電子部品を再配置する再配置部と、
前記電子部品情報と前記配列情報に基づいて前記電子部品を前記配置部における所定の位置へ移送し、前記残電子部品を前記再配置部に移送するように前記電子部品移送部を制御する制御部と、
前記再配置部に配置された各ランクの前記電子部品に関する前記位置情報と前記ランク情報を、別途使用可能なように格納する記憶部とを
備えることを特徴とする電子部品移送装置。
【請求項２】
前記配列情報は、前記配置部内で配置される各電子部品の配置位置、及び前記配置位置における前記各電子部品のランク情報を少なくとも含むことを特徴とする請求項１に記載の電子部品移送装置。
【請求項３】
前記配列情報は、完成品における所望の光度に基いて設定されることを特徴とする請求項２に記載の電子部品移送装置。
【請求項４】
前記配列情報格納部は、複数の配列パターン情報を備えていることを特徴とする請求項１〜３のいずれか１項に記載の電子部品移送装置。
【請求項５】
前記再配置部を前記ウェハシートと同一のウェハシート上に設けることを特徴とする請求項１〜４のいずれか１項に記載の電子部品移送装置。
【請求項６】
前記再配置部を前記配置部を備える台と同一平面上に設けたシートに設けることを特徴とする請求項１〜４のいずれか１項に記載の電子部品移送装置。
【請求項７】
前記再配置部を前記配置部の一部に設けることを特徴とする請求項１〜４のいずれか１項に記載の電子部品移送装置。
【請求項８】
前記制御部は、前記配置部に対する移送が完了したことを知らせる信号または強制再配置信号を受信したときに、前記残電子部品を前記再配置部に再配置するように前記電子部品移送部を制御することを特徴とする請求項１〜７のいずれか１項に記載の電子部品移送装置。
【請求項９】
前記制御部は、前記残電子部品を前記ランク情報に基いて再配置するように前記電子部品移送部を制御することを特徴とする請求項１〜８のいずれか１項に記載の電子部品移送装置。
【請求項１０】
前記配置部は基板であることを特徴とする請求項１〜６及び８、９のいずれか１項に記載の電子部品移送装置。
【請求項１１】
前記残電子部品は、不良と判断された電子部品及び／又は、前記配置部又は前記基板への必要実装数が満たされ余った良品の電子部品であることを特徴とする請求項１０に記載の電子部品移送装置。
【請求項１２】
前記制御部は、前記残電子部品を、前記ランク情報に基づいてランク毎に規則的に前記再配置部に再配置するように前記電子部品移送部を制御することを特徴とする請求項１〜１１のいずれか１項に記載の電子部品移送装置。
【請求項１３】
前記制御部は、前記ランク情報と前記配列情報から算出される結果に基づいて、前記電子部品移送部を制御することを特徴とする請求項１〜１２のいずれか１項に記載の電子部品移送装置。
【請求項１４】
前記配列情報は、ランクの異なる複数の前記電子部品から構成されることを特徴とする請求項１〜１３のいずれか１項に記載の電子部品移送装置。
【請求項１５】
ランクの異なる複数の電子部品がウェハ状に配置されているウェハシートを電子部品保持テーブルに保持するウェハシート保持工程と、
前記電子部品保持テーブルにおける前記ウェハシート上の前記電子部品の位置情報と前記電子部品のランク情報からなる電子部品情報を電子部品情報格納部に格納する電子部品情報格納工程と、
配置部における前記電子部品の配列情報を配列情報格納部に格納する配列情報格納工程と、
前記ウェハシートから前記電子部品を１または複数個ずつ取り出し、前記配置部へ移送する移送工程と、
前記電子部品情報と前記配列情報に基づいて前記電子部品を前記配置部における所定の位置へ移送し、前記ウェハシート上に残った残電子部品を再配置部に移送するように制御する制御工程と、
前記再配置部に配置された各ランクの前記電子部品に関する前記位置情報と前記ランク情報を、別途使用可能なように格納する記憶工程とを
備えることを特徴とする電子部品移送方法。
【手続補正２】
【補正対象書類名】明細書
【補正対象項目名】００１０
【補正方法】変更
【補正の内容】
【００１０】
上記課題を解決するために、本発明の電子部品移送装置は、ランクの異なる複数の電子部品がウェハ状に配置されているウェハシートを保持する電子部品保持テーブルと、前記電子部品保持テーブルにおける前記ウェハシート上の前記電子部品の位置情報と前記電子部品のランク情報からなる電子部品情報を格納する電子部品情報格納部と、前記ウェハシートから前記電子部品を１または複数個ずつ取り出し、配置部へ移送する電子部品移送部と、前記配置部における前記電子部品の配列情報を格納する配列情報格納部と、前記ウェハシート上に残った残電子部品を再配置する再配置部と、前記電子部品情報と前記配列情報に基づいて前記電子部品を前記配置部における所定の位置へ移送し、前記残電子部品を前記再配置部に移送するように前記電子部品移送部を制御する制御部と、前記再配置部に配置された各ランクの前記電子部品に関する前記位置情報と前記ランク情報を、別途使用可能なように格納する記憶部とを備える。
【手続補正３】
【補正対象書類名】明細書
【補正対象項目名】００１１
【補正方法】変更
【補正の内容】
【００１１】
さらに上記課題を解決するために、本発明の電子部品移送方法は、ランクの異なる複数の電子部品がウェハ状に配置されているウェハシートを電子部品保持テーブルに保持するウェハシート保持工程と、前記電子部品保持テーブルにおける前記ウェハシート上の前記電子部品の位置情報と前記電子部品のランク情報からなる電子部品情報を電子部品情報格納部に格納する電子部品情報格納工程と、配置部における前記電子部品の配列情報を配列情報格納部に格納する配列情報格納工程と、前記ウェハシートから前記電子部品を１または複数個ずつ取り出し、前記配置部へ移送する移送工程と、前記電子部品情報と前記配列情報に基づいて前記電子部品を前記配置部における所定の位置へ移送し、前記ウェハシート上に残った残電子部品を再配置部に移送するように前記電子部品移送部を制御する制御工程と、前記再配置部に配置された各ランクの前記電子部品に関する前記位置情報と前記ランク情報を、別途使用可能なように格納する記憶工程とを備える。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
ランクの異なる複数の電子部品がウェハ状に配置されているウェハシートを保持する電子部品保持テーブルと、
前記電子部品保持テーブルにおける前記ウェハシート上の前記電子部品の位置情報と前記電子部品のランク情報からなる電子部品情報を格納する電子部品情報格納部と、
前記ウェハシートから前記電子部品を１または複数個ずつ取り出し、配置部へ移送する電子部品移送部と、
前記配置部における前記電子部品の配列情報を格納する配列情報格納部と、
前記ウェハシート上に残った残電子部品を再配置する再配置部と、
前記電子部品情報と前記配列情報に基づいて前記電子部品を前記配置部における所定の位置へ移送し、前記残電子部品を前記再配置部に移送するように前記電子部品移送部を制御する制御部とを備え、
前記再配置部を前記配置部の一部に設けることを特徴とする電子部品移送装置。
【請求項２】
前記配列情報は、前記配置部内で配置される各電子部品の配置位置、及び前記配置位置における前記各電子部品のランク情報を少なくとも含むことを特徴とする請求項１に記載の電子部品移送装置。
【請求項３】
前記配列情報は、完成品における所望の光度に基いて設定されることを特徴とする請求項２に記載の電子部品移送装置。
【請求項４】
前記配列情報格納部は、複数の配列パターン情報を備えていることを特徴とする請求項１〜３のいずれか１項に記載の電子部品移送装置。
【請求項５】
前記再配置部を前記ウェハシートと同一のウェハシート上に設けることを特徴とする請求項１〜４のいずれか１項に記載の電子部品移送装置。
【請求項６】
前記再配置部を前記配置部を備える台と同一平面上に設けたシートに設けることを特徴とする請求項１〜４のいずれか１項に記載の電子部品移送装置。
【請求項７】
前記制御部は、前記配置部に対する移送が完了したことを知らせる信号または強制再配置信号を受信したときに、前記残電子部品を前記再配置部に再配置するように前記電子部品移送部を制御することを特徴とする請求項１〜６のいずれか１項に記載の電子部品移送装置。
【請求項８】
前記制御部は、前記残電子部品を前記ランク情報に基いて再配置するように前記電子部品移送部を制御することを特徴とする請求項１〜７のいずれか１項に記載の電子部品移送装置。
【請求項９】
前記残電子部品は、不良と判断された電子部品及び／又は、前記配置部への必要実装数が満たされ余った良品の電子部品であることを特徴とする請求項１〜８のいずれか１項に記載の電子部品移送装置。
【請求項１０】
前記制御部は、前記残電子部品を、前記ランク情報に基づいてランク毎に規則的に前記再配置部に再配置するように前記電子部品移送部を制御することを特徴とする請求項１〜９のいずれか１項に記載の電子部品移送装置。
【請求項１１】
前記制御部は、前記ランク情報と前記配列情報から算出される結果に基づいて、前記電子部品移送部を制御することを特徴とする請求項１〜１０のいずれか１項に記載の電子部品移送装置。
【請求項１２】
前記配列情報は、ランクの異なる複数の前記電子部品から構成されることを特徴とする請求項１〜１１のいずれか１項に記載の電子部品移送装置。
【請求項１３】
ランクの異なる複数の電子部品がウェハ状に配置されているウェハシートを電子部品保持テーブルに保持するウェハシート保持工程と、
前記電子部品保持テーブルにおける前記ウェハシート上の前記電子部品の位置情報と前記電子部品のランク情報からなる電子部品情報を電子部品情報格納部に格納する電子部品情報格納工程と、
配置部における前記電子部品の配列情報を配列情報格納部に格納する配列情報格納工程と、
前記ウェハシートから前記電子部品を１または複数個ずつ取り出し、前記配置部へ移送する移送工程と、
前記電子部品情報と前記配列情報に基づいて前記電子部品を前記配置部における所定の位置へ移送し、前記ウェハシート上に残った残電子部品を再配置部に移送するように制御する制御工程とを備え、
前記再配置部を前記配置部の一部に設けることを特徴とする電子部品移送方法。
【手続補正２】
【補正対象書類名】明細書
【補正対象項目名】００１０
【補正方法】変更
【補正の内容】
【００１０】
上記課題を解決するために、本発明の電子部品移送装置は、ランクの異なる複数の電子部品がウェハ状に配置されているウェハシートを保持する電子部品保持テーブルと、前記電子部品保持テーブルにおける前記ウェハシート上の前記電子部品の位置情報と前記電子部品のランク情報からなる電子部品情報を格納する電子部品情報格納部と、前記ウェハシートから前記電子部品を１または複数個ずつ取り出し、配置部へ移送する電子部品移送部と、前記配置部における前記電子部品の配列情報を格納する配列情報格納部と、前記ウェハシート上に残った残電子部品を再配置する再配置部と、前記電子部品情報と前記配列情報に基づいて前記電子部品を前記配置部における所定の位置へ移送し、前記残電子部品を前記再配置部に移送するように前記電子部品移送部を制御する制御部とを備え、前記再配置部を前記配置部の一部に設ける。
【手続補正３】
【補正対象書類名】明細書
【補正対象項目名】００１１
【補正方法】変更
【補正の内容】
【００１１】
さらに上記課題を解決するために、本発明の電子部品移送方法は、ランクの異なる複数の電子部品がウェハ状に配置されているウェハシートを電子部品保持テーブルに保持するウェハシート保持工程と、前記電子部品保持テーブルにおける前記ウェハシート上の前記電子部品の位置情報と前記電子部品のランク情報からなる電子部品情報を電子部品情報格納部に格納する電子部品情報格納工程と、配置部における前記電子部品の配列情報を配列情報格納部に格納する配列情報格納工程と、前記ウェハシートから前記電子部品を１または複数個ずつ取り出し、前記配置部へ移送する移送工程と、前記電子部品情報と前記配列情報に基づいて前記電子部品を前記配置部における所定の位置へ移送し、前記ウェハシート上に残った残電子部品を再配置部に移送するように前記電子部品移送部を制御する制御工程とを備え、前記再配置部を前記配置部の一部に設ける。
【国際調査報告】
2013108366.tif 000012
2013108366.tif 000013
2013108366.tif 000014
2013108366.tif 000015